(57)【要約】      （修正有）【課題】底外フラップに設けられる係合凸部が底内フラップに設けられる係止孔から抜け出ることを抑制する箱用シートを提供する。【解決手段】箱用シートは、組立状態で互いに対向する一対の長さ面パネル１、２及び一対の幅面パネル３、４と、一対の長さ面パネルの下縁から延出し、先端縁同士が突き合わされる一対の底内フラップ５、６と、一対の幅面パネルの下縁から延出する一対の底外フラップ７、８とを備え、箱型に組み立て可能な箱用シート１０であって、一対の底外フラップが、幅方向の両側に延出方向の先端側に向けて突出する一対の係合凸部２４を有しており、一対の底内フラップが、幅方向の両側に係合凸部が挿入される一対の係止孔２１を有しており、係合凸部に、係止孔の周縁と干渉するように、係合凸部の突出方向と反対側に突出する舌片２６が設けられている。【選択図】図１
0003229432.tif 000002
【実用新案登録請求の範囲】
【請求項１】
組立状態で互いに対向する一対の長さ面パネル及び一対の幅面パネルと、
上記一対の長さ面パネルの下縁から延出し、先端縁同士が突き合わされる一対の底内フラップと、
上記一対の幅面パネルの下縁から延出する一対の底外フラップと
を備え、箱型に組み立て可能な箱用シートであって、
上記一対の底外フラップが、幅方向の両側に延出方向の先端側に向けて突出する一対の係合凸部を有しており、
上記一対の底内フラップが、幅方向の両側に上記係合凸部が挿入される一対の係止孔を有しており、
上記係合凸部に、上記係止孔の周縁と干渉するように、上記係合凸部の突出方向と反対側に突出する舌片が設けられている箱用シート。
【請求項２】
上記舌片が、上記係合凸部の幅方向内側の基端部に設けられている請求項１に記載の箱用シート。
【請求項３】
上記舌片が、上記係合凸部の基端側の側縁からこの係合凸部の幅方向に延びる第１スリットと、この第１スリットよりも上記係合凸部の先端側でこの第１スリットと平行に延びる折り曲げ容易線と、上記第１スリット及び上記折り曲げ容易線の先端同士を接続する第２スリットとによって画定されている請求項２に記載の箱用シート。
【請求項４】
上記底内フラップに、上記舌片と干渉する段差部が設けられている請求項１、請求項２又は請求項３に記載の箱用シート。
【請求項５】
上記底外フラップが、上記係合凸部同士の間に中央凸部を有している請求項１から請求項４のいずれか１項に記載の箱用シート。
【考案の詳細な説明】
【技術分野】
【０００１】
本考案は、箱用シートに関する。
【背景技術】
【０００２】
段ボールシート等から組み立てられる箱体が、物品の保管、運搬等に広く用いられている。この箱体としては、対向する一対の長さ面パネルの下縁から延出する一対の底内フラップと、対向する一対の幅面パネルの下縁から延出する一対の底外フラップとを係合することで底部が組み立てられるものが公知である。具体的には、一対の底内フラップにスリットを設け、かつ一対の底外フラップに差込片を設けて、上記スリットに上記差込片を挿入することで底部が組み立てられるものが公知である（実用新案登録第３０７３６３６公報参照）。
【先行技術文献】
【特許文献】
【０００３】
【特許文献１】実用新案登録第３０７３６３６公報
【考案の概要】
【考案が解決しようとする課題】
【０００４】
しかしながら、上記公報に記載されている構成によると、箱体に物品を収容して運搬する際等に物品の荷重によってスリットから差込片が意図せず抜け出るおそれがある。
【０００５】
本考案は、このような事情に鑑みてなされたものであり、底外フラップに設けられる係合凸部が底内フラップに設けられる係止孔から意図せず抜け出ることを抑制することが可能な箱用シートを提供することを目的とする。
【課題を解決するための手段】
【０００６】
上記課題を解決するためになされた本考案の一態様に係る箱用シートは、組立状態で互いに対向する一対の長さ面パネル及び一対の幅面パネルと、上記一対の長さ面パネルの下縁から延出し、先端縁同士が突き合わされる一対の底内フラップと、上記一対の幅面パネルの下縁から延出する一対の底外フラップとを備え、箱型に組み立て可能な箱用シートであって、上記一対の底外フラップが、幅方向の両側に延出方向の先端側に向けて突出する一対の係合凸部を有しており、上記一対の底内フラップが、幅方向の両側に上記係合凸部が挿入される一対の係止孔を有しており、上記係合凸部に、上記係止孔の周縁と干渉するように、上記係合凸部の突出方向と反対側に突出する舌片が設けられている。
【考案の効果】
【０００７】
本考案の一態様に係る箱用シートによると、係合凸部が係止孔から意図せず抜け出ることを抑制することができる。
【図面の簡単な説明】
【０００８】
【図１】図１は、本考案の一実施形態に係る箱用シートを示す模式的平面図である。
【図２】図２は、図１の箱用シートを組み立ててなる箱体を示す模式的斜視図である。
【図３】図３は、図２の箱体の模式的底面図である。
【図４】図４は、図２の箱体のＩＶ−ＩＶ線断面図である。
【図５】図５は、図４の箱体の係合凸部が係止孔に挿入された状態を示す模式的部分拡大図である。
【図６】図６は、図５の箱体のＶＩ−ＶＩ線断面図である。
【考案を実施するための形態】
【０００９】
［本考案の実施形態の説明］
最初に本考案の実施態様を列記して説明する。
【００１０】
本考案の一態様に係る箱用シートは、組立状態で互いに対向する一対の長さ面パネル及び一対の幅面パネルと、上記一対の長さ面パネルの下縁から延出し、先端縁同士が突き合わされる一対の底内フラップと、上記一対の幅面パネルの下縁から延出する一対の底外フラップとを備え、箱型に組み立て可能な箱用シートであって、上記一対の底外フラップが、幅方向の両側に延出方向の先端側に向けて突出する一対の係合凸部を有しており、上記一対の底内フラップが、幅方向の両側に上記係合凸部が挿入される一対の係止孔を有しており、上記係合凸部に、上記係止孔の周縁と干渉するように、上記係合凸部の突出方向と反対側に突出する舌片が設けられている。
【００１１】
当該箱用シートによると、上記一対の底外フラップに設けられている上記係合凸部をそれぞれ、上記一対の底内フラップに設けられている上記係止孔に挿入することで箱体の底部が組み立てられる。当該箱用シートは、上記係合凸部に、この係合凸部の突出方向と反対側に突出する舌片が設けられており、上記係合凸部が上記係止孔に挿入された状態で上記舌片が上記係止孔の周縁と干渉するので、上記係合凸部が上記係止孔から意図せず抜け出ることを抑制することができる。
【００１２】
上記舌片が、上記係合凸部の幅方向内側の基端部に設けられているとよい。このように、上記舌片が、上記係合凸部の幅方向内側の基端部に設けられていることによって、物品の運搬時等における箱体の底抜けを抑制しやすい。
【００１３】
上記舌片が、上記係合凸部の基端側の側縁からこの係合凸部の幅方向に延びる第１スリットと、この第１スリットよりも上記係合凸部の先端側でこの第１スリットと平行に延びる折り曲げ容易線と、上記第１スリット及び上記折り曲げ容易線の先端同士を接続する第２スリットとによって画定されているとよい。このように、上記舌片が、上記係合凸部の基端側の側縁からこの係合凸部の幅方向に延びる第１スリットと、この第１スリットよりも上記係合凸部の先端側でこの第１スリットと平行に延びる折り曲げ容易線と、上記第１スリット及び上記折り曲げ容易線の先端同士を接続する第２スリットとによって画定されていることによって、上記係合凸部を上記係止孔の周縁と干渉させやすく、その結果箱体の意図しない底抜けを抑制しやすい。
【００１４】
上記底内フラップに、上記舌片と干渉する段差部が設けられているとよい。このように、上記底内フラップに、上記舌片と干渉する段差部が設けられていることによって、上記係合凸部を上記係止孔の周縁と干渉させやすく、その結果箱体の意図しない底抜けを抑制しやすい。
【００１５】
上記底外フラップが、上記係合凸部同士の間に中央凸部を有しているとよい。このように、上記底外フラップが、上記係合凸部同士の間に中央凸部を有していることによって、上記一対の底内フラップ及び上記一対の底外フラップを水平に維持しやすく、これにより上記係合凸部と上記係止孔の周縁との干渉状態を安定的に維持しやすい。
【００１６】
［本考案の実施形態の詳細］
以下、適宜図面を参照しつつ、本考案の実施の形態を詳説する。
【００１７】
［箱用シート］
図１の箱用シート１０は、組立状態で互いに対向する一対の長さ面パネル（第１長さ面パネル１及び第２長さ面パネル２）並びに一対の幅面パネル（第１幅面パネル３及び第２幅面パネル４）と、上記一対の長さ面パネルの下縁から延出し、先端縁同士が突き合わされる一対の底内フラップ（第１長さ面パネル１の下縁から延出する第１底内フラップ５及び第２長さ面パネル２の下縁から延出する第２底内フラップ６）と、上記一対の幅面パネルの下縁から延出する一対の底外フラップ（第１幅面パネル３の下縁から延出する第１底外フラップ７及び第２幅面パネル４の下縁から延出する第２底外フラップ８）とを備える（以下、第１長さ面パネル１及び第２長さ面パネル２をまとめて「長さ面パネル１、２」ともいい、第１幅面パネル３及び第２幅面パネル４をまとめて「幅面パネル３、４」ともいい、第１底内フラップ５及び第２底内フラップ６をまとめて「底内フラップ５、６」ともいい、第１底外フラップ７及び第２底外フラップ８をまとめて「底外フラップ７、８」ともいう）。長さ面パネル１、２及び幅面パネル３、４は左右方向に交互に配置されている。
【００１８】
当該箱用シート１０は、一対の長さ面パネル１、２の上縁から延出する一対の蓋フラップ（第１長さ面パネル１の上縁から延出する第１蓋フラップ１１及び第２長さ面パネル２の上縁から延出する第２蓋フラップ１２）と、一対の幅面パネル３、４の上縁から延出する一対の持ち手形成用フラップ（第１幅面パネル３の上縁から延出する第１持ち手形成用フラップ１３及び第２幅面パネル４の上縁から延出する第２持ち手形成用フラップ１４）とを備える（以下、第１蓋フラップ１１及び第２蓋フラップ１２をまとめて「蓋フラップ１１、１２」ともいい、第１持ち手形成用フラップ１３及び第２持ち手形成用フラップ１４をまとめて「持ち手形成用フラップ１３、１４」ともいう）。また、当該箱用シート１０は、左右方向外側（本実施形態では左右方向左側）に位置する第１長さ面パネル１の左右方向外側の側縁から延出する糊代１５を備える。なお、本明細書において、「左右方向」とは、箱用シートを組み立ててなる箱体の想定される一般的な使用態様における水平方向を意味し、「上」とは、箱用シートを組み立ててなる箱体の想定される一般的な使用態様における上を意味し、「下」とは、箱用シートを組み立ててなる箱体の想定される一般的な使用態様における下を意味する。また、図１において、太い実線はシートを切断して形成される切断線を示し、細い実線はシートの内面を筋押しして形成される罫線を示す。
【００１９】
当該箱用シート１０は、箱型に組み立て可能であり、具体的には図２の箱体３０に組み立てられる。当該箱用シート１０を箱体３０に組み立てる手順について説明する。まず、左右方向外側（本実施形態では左右方向左側）に位置する第１長さ面パネル１をこの第１長さ面パネル１に連接される第１幅面パネル３の内面に折り重ね、左右方向外側（本実施形態では左右方向右側）に位置する第２幅面パネル４をこの第２幅面パネル４に連接される第２長さ面パネル２の内面に折り重ね、糊代１５を折り重ねられた第２幅面パネル４の内面に貼着する。続いて、無端状に接続された一対の長さ面パネル１、２及び一対の幅面パネル３、４を四角筒状に広げたうえ、一対の底内フラップ５、６を内側に折り曲げて先端縁同士を突き合わせ、さらに一対の底外フラップ７、８を内側に折り曲げて後述する係合凸部２４を後述する係止孔２１に挿入する。これにより、図３〜図５に示すように箱体３０の底部３１が組み立てられる。次に、一対の持ち手形成用フラップ１３、１４を上方に突出させた状態で、一対の蓋フラップ１１、１２を内側に折り曲げて先端縁同士を突き合わせる。これにより、図２の箱体３０が組み立てられる。
【００２０】
当該箱用シート１０は、１枚のシート材から形成される。当該箱用シート１０に用いられるシートとしては、当該箱用シート１０を組み立ててなる箱体３０の形状を維持できる程度の強度を有する限り特に限定されるものではなく、例えば段ボールシート、ボール紙等の紙製シート、合成樹脂製シート、紙製シートと合成樹脂製シートとの積層シート等が挙げられる。中でも、加工性、衝撃吸収性、取扱性、リサイクル性、経済性等の点から紙製シートが好ましく、段ボールシートが特に好ましい。当該箱用シート１０を形成する段ボールとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。
【００２１】
（長さ面パネル）
一対の長さ面パネル１、２は矩形状かつ略同一形状に形成されている。長さ面パネル１、２の左右方向長さは、幅面パネル３、４の左右方向長さよりも大きい。
【００２２】
（幅面パネル）
一対の幅面パネル３、４は矩形状かつ略同一形状に形成されている。幅面パネル３、４の上下方向長さは、長さ面パネル１、２の上下方向長さと同じとすることができる。
【００２３】
（底内フラップ）
底内フラップ５、６は矩形状かつ略同一形状に形成されている。底内フラップ５、６の延出方向長さは、幅面パネル３、４の左右方向長さの略１／２である。
【００２４】
底内フラップ５、６は、幅方向の両側に後述する係合凸部２４が挿入される一対の係止孔２１を有する。図４及び図５に示すように、係止孔２１は、底内フラップ５、６に形成される折り込み片２２の折り込みによって形成される。
【００２５】
図１に示すように、折り込み片２２は、底内フラップ５、６の延出方向に延びる折り曲げ容易線２２ａと、折り曲げ容易線２２ａの両端部に接続され、底内フラップ５、６の幅方向の内側に凸なスリット２２ｂとによって画定される。スリット２２ｂは、折り曲げ容易線２２ａの延出方向先端部（底内フラップ５、６の延出方向先端側における端部）から連続して設けられ、底内フラップ５、６の幅方向内側に延びる第１直線部と、この第１直線部の先端部から連続し、底内フラップ５、６の延出方向先端側に延びる第２直線部とを有する。上記第１直線部及び上記第２直線部は全体としてＬ字状である。係止孔２１の周縁には、上記第１直線部及び上記第２直線部の切断エッジによって画定される段差部２３が設けられる。
【００２６】
（底外フラップ）
底外フラップ７、８は略同一形状に形成されている。底外フラップ７、８の延出方向長さは、底内フラップ５、６の延出方向長さと略等しい。
【００２７】
底外フラップ７、８は、矩形状の基部７ａ、８ａと、基部７ａ、８ａの先端縁から連続して延びる係合部７ｂ、８ｂとを有する。基部７ａ、８ａと係合部７ｂ、８ｂとの境界線には折り曲げ容易線７ｃ、８ｃが形成されている。底外フラップ７、８が折り曲げ容易線７ｃ、８ｃを有することで、折り曲げ容易線７ｃ、８ｃの折り曲げによって係合凸部２４を係止孔２１に容易に挿入することができる。
【００２８】
係合部７ｂ、８ｂは、底外フラップ７、８の幅方向の両側で延出方向の先端側に向けて突出する一対の係合凸部２４を有する。また、係合部７ｂ、８ｂは、係合凸部２４同士の間に中央凸部２５を有する。中央凸部２５は、一対の係合凸部２４の間で底外フラップ７、８の延出方向の先端側に向けて突出している。中央凸部２５の突出長さは係合凸部２４の突出長さよりも小さくてもよい。
【００２９】
係合凸部２４には、係合凸部２４の突出方向と反対側に突出する舌片２６が設けられている。図５に示すように、舌片２６は、箱体３０に組み立てられた状態で、係止孔２１の周縁と干渉するように設けられている。舌片２６は、例えば底内フラップ５、６の内面に乗り上げられるように設けられている。
【００３０】
舌片２６は、係合凸部２４の幅方向内側（底外フラップ７、８の幅方向における内側）の基端部に設けられていることが好ましい。この構成によると、物品の運搬時等における箱体３０の底抜けを抑制しやすい。すなわち、舌片２６が係合凸部２４の幅方向内側の基端部に設けられている場合、この舌片２６は、底内フラップ５、６の先端縁側に係合されることになる。これにより、舌片２６と係止孔２１の周縁とが干渉することに起因して、一対の底内フラップ５、６同士を水平に維持しやすくなる。その結果、一対の底内フラップ５、６の先端縁同士が突き合わされた状態を保持しやすく、箱体３０の底抜けを抑制しやすい。
【００３１】
舌片２６は、係合凸部２４の基端側の側縁から係合凸部２４の幅方向に延びる第１スリット２６ａと、第１スリット２６ａよりも係合凸部２４の先端側で第１スリット２６ａと平行に延びる折り曲げ容易線２６ｂと、第１スリット２６ａ及び折り曲げ容易線２６ｂの先端同士を接続する第２スリット２６ｃとによって画定されている。この構成によると、係合凸部２４を係止孔２１の周縁と干渉させやすく、その結果箱体３０の意図しない底抜けを抑制しやすい。
【００３２】
図５に示すように、舌片２６は、段差部２３と干渉するように設けられていることが好ましい。より詳しくは、図６に示すように、舌片２６は、段差部２３の上方に乗り上げるように設けられていることが好ましい。当該箱用シート１０は、底内フラップ５、６に、舌片２６と干渉する段差部２３が設けられていることで、係合凸部２４を係止孔２１の周縁と干渉させやすく、その結果箱体３０の意図しない底抜けを抑制しやすい。
【００３３】
当該箱用シート１０は、上述のように、底外フラップ７、８が一対の係合凸部２４同士の間に中央凸部２５を有しているので、一対の係合凸部２４と中央凸部２５との間に一対の底内フラップ５、６を挟み込むことができる。これにより、一対の底内フラップ５、６及び一対の底外フラップ７、８を水平に維持しやすく、係合凸部２４と係止孔２１の周縁との干渉状態をより安定的に維持しやすい。
【００３４】
（蓋フラップ）
蓋フラップ１１、１２は矩形状かつ略同一形状に形成されている。蓋フラップ１１、１２の延出方向長さは、幅面パネル３、４の左右方向長さの略１／２である。
【００３５】
（持ち手形成用フラップ）
持ち手形成用フラップ１３、１４は矩形状かつ略同一形状に形成されている。持ち手形成用フラップ１３、１４の延出方向長さは、蓋フラップ１１、１２の延出方向長さと同じとすることができる。
【００３６】
持ち手形成用フラップ１３、１４には、手掛け穴１３ａ、１４ａが形成されている。
【００３７】
＜利点＞
当該箱用シート１０によると、一対の底外フラップ７、８に設けられている係合凸部２４をそれぞれ、一対の底内フラップ５、６に設けられている係止孔２１に挿入することで箱体３０の底部３１が組み立てられる。当該箱用シート１０は、係合凸部２４に、この係合凸部２４の突出方向と反対側に突出する舌片２６が設けられており、係合凸部２４が係止孔２１に挿入された状態で舌片２６が係止孔２１の周縁と干渉するので、係合凸部２４が係止孔２１から意図せず抜け出ることを抑制することができる。
【００３８】
当該箱用シート１０は、舌片２６が段差部２３の上方に乗り上げるように構成されているので、舌片２６を段差部２３と折り込み片２２とで上下方向から挟み込むことができる。これにより、当該箱用シート１０は、係合凸部２４が係止孔２１から意図せず抜け出ることを抑制しやすい。
【００３９】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００４０】
例えば箱体の蓋部を形成するための具体的な構成は特に限定されるものではない。例えば当該箱用シートは、一対の幅面パネルの上縁から延出する一対の蓋内フラップと、一対の長さ面パネルの上縁から延出する一対の蓋外フラップとを有しており、一対の蓋内フラップを内側に折り曲げたうえ、一対の蓋外フラップを内側に折り曲げて先端縁同士を突き合わせることで箱体の蓋部が組み立てられるものであってもよい。
【００４１】
上記係合凸部において舌片が設けられる位置及び舌片の具体的な構成は上記実施形態に記載の構成に限定されるものではない。例えば上記舌片は、上記係合凸部の幅方向の外側に設けられていてもよく、上記係合凸部の幅方向の中央部分に設けられていてもよい。
【００４２】
上記底内フラップには、必ずしも上述の段差部は設けられていなくてもよい。また、上記底外フラップには、上述の中央凸部が設けられていなくてもよい。
【産業上の利用可能性】
【００４３】
以上のように、本考案の一態様に係る箱用シートは、係合凸部が係止孔から意図せず抜け出ることを抑制することができるので、物品の運搬時等における箱体の底抜けを抑制するのに適している。
【符号の説明】
【００４４】
１  第１長さ面パネル
２  第２長さ面パネル
３  第１幅面パネル
４  第２幅面パネル
５  第１底内フラップ
６  第２底内フラップ
７  第１底外フラップ
７ａ、８ａ  基部
７ｂ、８ｂ  係合部
７ｃ、８ｃ  折り曲げ容易線
８  第２底外フラップ
１０  箱用シート
１１  第１蓋フラップ
１２  第２蓋フラップ
１３  第１持ち手形成用フラップ
１３ａ、１４ａ  手掛け穴
１４  第２持ち手形成用フラップ
１５  糊代
２１  係止孔
２２  折り込み片
２２ａ  折り曲げ容易線
２２ｂ  スリット
２３  段差部
２４  係合凸部
２５  中央凸部
２６  舌片
２６ａ  第１スリット
２６ｂ  折り曲げ容易線
２６ｃ  第２スリット
３０  箱体
３１  底部
【図１】
0003229432.tif 000003
【図２】
0003229432.tif 000004
【図３】
0003229432.tif 000005
【図４】
0003229432.tif 000006
【図５】
0003229432.tif 000007
【図６】
0003229432.tif 000008